(57)【要約】【課題】人体を通して認証を受けるための情報を伝送し、安全に認証を行えるようにする。【解決手段】認証システムは送信装置と受信装置を含む。送信装置は、記憶する第１記憶部、送信部、処理部を含む。送信部は人に触れられる電極を含む。処理部は、電極に印加する電圧レベルを変化させ、電極から使用者情報を示す人体伝送信号を送信させる。受信装置は、受信部、第２記憶部、制御部を含む。受信部は、人を介して伝送された人体伝送信号を受信する。制御部は、受信部が受信した人体伝送信号に基づき、送信装置が送信した使用者情報を認識し、接触者が利用可能者か否かを判定する。【選択図】図１０
2019003268.tif 000002
【特許請求の範囲】
【請求項１】
送信装置と受信装置を含み、
前記送信装置は、
使用者情報を記憶する第１記憶部と、
人に触れられる電極を含む送信部と、
前記電極に印加する電圧レベルを変化させ、前記電極から前記使用者情報を示す人体伝送信号を送信させる処理部と、を備え、
前記受信装置は、
前記受信装置に触れた人である接触者を介して伝送された前記人体伝送信号を受信する受信部と、
認証用情報を記憶する第２記憶部と、
前記受信部が受信した前記人体伝送信号に基づき、前記送信装置が送信した前記使用者情報を認識し、認識した前記使用者情報が前記認証用情報に含まれているとき、前記接触者を利用可能者と判定する制御部と、を備えることを特徴とする認証システム。
【請求項２】
前記送信部は、指紋をスキャンする指紋センサーであり、
前記処理部は、
前記指紋のスキャン結果に基づき、前記使用者情報を生成し、
生成した前記使用者情報を前記第１記憶部に記憶させることを特徴とする請求項１に記載の認証システム。
【請求項３】
前記受信装置は、操作パネルを含み、
前記操作パネルは、表示パネルとタッチパネルを含み、
前記受信部は前記タッチパネルに触れた指から入力される前記人体伝送信号を受信し、
前記制御部は、
前記人体伝送信号に基づき認識した前記使用者情報が前記認証用情報に含まれているとき、前記接触者を前記利用可能者と判定し、
前記タッチパネルに入力された前記人体伝送信号に基づき認識した前記使用者情報が前記認証用情報に含まれていないとき、及び、前記タッチパネルにタッチされた指から前記人体伝送信号が入力されていないとき、前記接触者を前記利用不能者と判定することを特徴とする請求項１又は２に記載の認証システム。
【請求項４】
前記制御部は、前記操作パネルのロック状態とアンロック状態の遷移を制御し、
前記ロック状態は、設定操作が制限された状態であり、
前記アンロック状態は前記アンロック状態よりも設定操作が制限されない状態であり、
前記操作パネルが前記ロック状態の場合、
前記接触者を前記利用可能者と判定したとき、前記制御部は、前記操作パネルを前記アンロック状態とし、
前記接触者を前記利用不能者と判定したとき、前記制御部は、前記操作パネルを前記ロック状態で維持させることを特徴とする請求項３に記載の認証システム。
【請求項５】
前記制御部は、
前記アンロック状態で前記タッチパネルへのタッチされたとき、前記受信部に入力される前記人体伝送信号の有無を確認し、
入力される前記人体伝送信号がないとき、前記操作パネルを前記ロック状態とし、
入力される前記人体伝送信号があっても、入力された前記人体伝送信号に基づき認識した前記使用者情報が前記認証用情報に含まれていないとき、前記操作パネルを前記ロック状態とし、
入力される前記人体伝送信号があり、かつ、入力された前記人体伝送信号に基づき認識した前記使用者情報が前記認証用情報に含まれているとき、前記操作パネルを前記アンロック状態で維持させることを特徴とする請求項３又は４に記載の認証システム。
【請求項６】
前記制御部は、前記ロック状態を解除したときに認識した前記使用者情報と、前記アンロック状態で新たに認識した前記使用者情報が異なるとき、前記操作パネルを前記ロック状態にすることを特徴とする請求項３乃至６の何れか１項に記載の認証システム。
【請求項７】
前記制御部は、前記アンロック状態で前記タッチパネルへのタッチされた場合に前記使用者情報の認識に失敗したとき、前記タッチパネルへの再タッチを促すメッセージを前記表示パネルに表示させることを特徴とする請求項３乃至６の何れか１項に記載の認証システム。
【請求項８】
前記操作パネルは、前記認証用情報を登録するための操作を受け付け、
前記認証用情報を登録するための操作がなされたとき、
前記制御部は、
前記受信部が受信した前記人体伝送信号に基づき、前記送信装置が送信した前記使用者情報を認識し、
認識した前記使用者情報を前記認証用情報に含めることを特徴とする請求項３乃至７の何れか１項に記載の認証システム。
【請求項９】
使用者を示す使用者情報を記憶する記憶部と、
人体と接触する電極を含む送信部と、
前記電極に印加する電圧レベルを変化させ、前記電極から前記使用者情報を示す人体伝送信号を送信させる処理部と、を備える送信装置。
【請求項１０】
受信装置に触れた人である接触者を介して伝送された前記人体伝送信号を受信する受信部と、
認証用情報を記憶する記憶部と、
前記受信部が受信した前記人体伝送信号に基づき、送信装置が送信した使用者情報を認識し、認識した前記使用者情報が前記認証用情報に含まれているとき、前記接触者を利用可能者と判定する制御部と、を備えることを特徴とする受信装置。
【発明の詳細な説明】
【技術分野】
【０００１】
本発明は、受信した情報に基づき認証を行う認証システムに関する。認証システムに用いる送信装置、受信装置に関する。
【背景技術】
【０００２】
装置に重要情報（秘密を保持すべき情報）を記憶させることがある。このような装置を誰でも使用できる状態にすると、第三者に重要情報が漏れる可能性がある。又、第三者が不適切な操作を行う可能性もある。そこで、使用者の認証を行うことがある。言い換えると、使用前に、装置の使用権限を有するか否かの確認を行うことがある。認証により、使用権限が与えられた者のみ、装置を利用できるようにする。このような認証を行う装置として、例えば、複写機、複合機、プリンター、ＦＡＸ装置のような画像形成装置がある。
【０００３】
認証を行う画像形成装置の一例が特許文献１に記載されている。具体的に、特許文献１には、ＩＣカードリーダーを有する画像形成装置が記載されている。ＩＣカードリーダーはカードに記録された情報（例えば、認証情報）をＩＣカードから取得する点、ＩＣカードリーダーはＮＦＣ（Near Field Communication）通信を行う点、ログイン認証が許可されたユーザーは、画像形成装置の各種の機能を利用することができる点が特許文献１に記載されている（特許文献１：段落［００９０］、［００９１］等参照）。
【先行技術文献】
【特許文献】
【０００４】
【特許文献１】特開２０１６−１５３２２５号公報
【発明の概要】
【発明が解決しようとする課題】
【０００５】
近年では、無線により認証を受けるための情報を送信することがある。認証を行う装置は、無線で送信された情報を受信する。受信した情報に基づき認証が行われる。例えば、認証を受けるための情報は、カードや携帯通信機器に格納される。カードは、例えば、ＩＣカードである。携帯通信機器は、例えば、スマートフォンである。
【０００６】
無線で送信する場合、認証を受けるための情報を傍受される（盗まれる）おそれがある。無線通信による認証は、安全性の点で問題が残る。なお、特許文献１記載の画像形成装置では、無線により認証情報がやりとりされる。従って、特許文献１記載の技術では上記の問題を解決できない。
【０００７】
本発明は上記の問題点に鑑み、人体を通して認証を受けるための情報を伝送し、安全に認証を行えるようにする。
【課題を解決するための手段】
【０００８】
上記課題解決のため請求項１に係る認証システムは、送信装置と受信装置を含む。前記送信装置は、第１記憶部、送信部、処理部を含む。前記第１記憶部は、使用者情報を記憶する。前記送信部は、人に触れられる電極を含む。前記処理部は、前記電極に印加する電圧レベルを変化させ、前記電極から前記使用者情報を示す人体伝送信号を送信させる。前記受信装置は、受信部、第２記憶部、制御部を含む。前記受信部は、前記受信装置に触れた人である接触者を介して伝送された前記人体伝送信号を受信する。前記第２記憶部は認証用情報を記憶する。前記制御部は、前記受信部が受信した前記人体伝送信号に基づき、前記送信装置が送信した前記使用者情報を認識し、認識した前記使用者情報が前記認証用情報に含まれているとき、前記接触者を利用可能者と判定する。
【発明の効果】
【０００９】
上述したように、本発明によれば、人体を通して認証を受けるための情報を伝送することができる。情報を示す電波は空中に放出されないので、情報の漏洩を防ぐことができる。また、安全に認証を行うことができる。
【図面の簡単な説明】
【００１０】
【図１】実施形態に係る認証システムの一例を示す図である。
【図２】実施形態に係る携帯通信装置の一例を示す図である。
【図３】実施形態に係る指紋センサーの一例を示す図である。
【図４】実施形態に係る画像形成装置の一例を示す図である。
【図５】実施形態に係る認証システムでの人体を介した信号伝送の一例を示す図である。
【図６】実施形態に係る携帯通信装置での使用者情報の登録の一例を示すフローチャートである。
【図７】実施形態に係る携帯通信装置での使用者情報の送信の流れの一例を示すフローチャートである。
【図８】実施形態に係るロック状態のときに表示される画面の一例を示す図である。
【図９】実施形態に係るアンロック状態のときに表示される画面の一例を示す図である。
【図１０】実施形態に係る画像形成装置の認証処理の流れの一例を示すフローチャートである。
【図１１】実施形態に係る画像形成装置の認証処理の流れの一例を示すフローチャートである。
【図１２】実施形態に係る認証用情報への使用者情報の登録の流れの一例を示すフローチャートである。
【発明を実施するための形態】
【００１１】
以下、図１〜図１２を用い、実施形態に係る認証システム１００を説明する。但し、本実施の形態に記載されている構成、配置等の各要素は、発明の範囲を限定するものではなく単なる説明例にすぎない。
【００１２】
（認証システム１００）
図１を用いて、実施形態に係る認証システム１００を説明する。図１は、実施形態に係る認証システム１００の一例を示す図である。
【００１３】
認証システム１００は、送信装置と受信装置を含む。本説明では、送信装置として、携帯通信装置１を用いる例を説明する。携帯通信装置１は、例えば、スマートフォンである。なお、携帯通信装置１は、スマートフォンに限られない。携帯通信装置１はタブレット型コンピューターでもよい。携帯通信装置１は、タッチパッドを含むコンピューターでもよい。また、本説明では、受信装置として画像形成装置２を用いる例を説明する。図１に示す画像形成装置２は、複合機である。なお、受信装置は、画像形成装置２に限られない。認証システム１００に含まれる携帯通信装置１は、１又は複数である。画像形成装置２の使用権限を有する使用者がそれぞれ、携帯通信装置１を所持してもよい。
【００１４】
携帯通信装置１は使用者情報ｉ１を記憶する。携帯通信装置１は記憶する使用者情報ｉ１を送信する。画像形成装置２は、受信した使用者情報ｉ１を認識する。画像形成装置２は、認識した使用者情報ｉ１に基づき、認証する。
【００１５】
（携帯通信装置１）
次に、図２、図３を用いて、実施形態に係る携帯通信装置１の一例を説明する。図２は、実施形態に係る携帯通信装置１の一例を示す図である。図３は、実施形態に係る指紋センサー１２の一例を示す図である。
【００１６】
携帯通信装置１は、処理部１０、第１記憶部１１、指紋センサー１２（送信部に相当）、ディスプレイ１３、タッチパネル１４、撮像部１５、音声処理部１６、マイクロフォン１６ａ、再生処理部１７、スピーカー１７ａ、無線通信部２４１８、を含む。
【００１７】
処理部１０は、携帯通信装置１の動作を制御する回路である。処理部１０は、ＣＰＵ１０ａや画像処理回路１０ｂを含む。処理部１０には、ＣＰＵ１０ａや画像処理回路１０ｂが１チップ化された集積回路を用いることができる。処理部１０は、ＯＳ、プログラム、アプリケーション、データに基づき、携帯通信装置１の動作を制御する。画像処理回路１０ｂは、画像データに対して画像処理を行う。
【００１８】
第１記憶部１１はＲＯＭ、ＲＡＭ、フラッシュメモリーを含む。第１記憶部１１は、ＯＳ、プログラム、アプリケーション、データを不揮発的に記憶する。処理部１０は、第１記憶部１１の記憶内容に従い携帯通信装置１の各部を制御する。タッチパネル１４を通じたアプリケーションの起動要求に応じ、処理部１０は、アプリケーションを読み出し、実行する。第１記憶部１１には、認証用アプリケーションＡ１がインストールされる。
【００１９】
指紋センサー１２は指紋を読み取る。携帯通信装置１では、静電容量式の指紋センサー１２を用いる例を説明する。図３を用いて、指紋センサー１２の一例を説明する。図３に示すように、携帯通信装置１の指紋センサー１２は、電極３、保護層３１、コンデンサ電極層３２、信号処理回路３３を含む。指紋センサー１２に指がおかれたとき、保護層３１と電極３は指と接する。図１では、指紋センサー１２のうち、内側の円領域が保護層３１であり、円の縁部分（外円と内円の間の領域）が電極３である。
【００２０】
保護層３１の下方にコンデンサ電極層３２が設けられる。保護層３１はコンデンサ電極層３２を保護する層である。保護層３１は、例えば、所定の硬度を有する円形の板である。コンデンサ電極層３２には、多数の読取用電極（コンデンサ電極の片方）が並べられて設けられる。読取用電極は、例えば、金属である。読取用電極は、等間隔で縦方向及び横方向に並べられる。
【００２１】
指紋を読み取るとき、処理部１０は、電極３に電圧（電流）を印加する。これにより、電極３と保護層３１に接する指の表面と、読取用電極と、がコンデンサを形成する。指の表面の凹凸（指紋の谷と尾根）に応じて、読取用電極に電荷がたまる。例えば、皮膚との距離が遠いほど、読取用電極に溜まる電荷は少なくなる。皮膚との距離が近いほど、読取用電極に溜まる電荷は多くなる。
【００２２】
信号処理回路３３は、読取用電極ごとに、溜まった電荷を読み出す。信号処理回路３３は、読取用電極ごとに、読み出した電荷量（アナログ値）を階調値（ディジタル値）に変換する。例えば、階調数は８である。信号処理回路３３は、読取用電極ごとに、読み出した電荷量を０〜７の何れかの階調値に変換する。そして、信号処理回路３３は指紋イメージを生成する。
【００２３】
指紋による認証方式は、パターンマッチング方式、特徴点方式などさまざまな方式がある。パターンマッチング方式を採用する場合、処理部１０は、携帯通信装置１の使用者の指紋イメージを第１記憶部１１に記憶させる。特徴点方式を採用する場合、処理部１０は、信号処理回路３３が生成した指紋イメージから特徴点を抽出する。処理部１０は、各特徴点の種類と位置、及び特徴点同士の位置関係を示す指紋データを生成する。処理部１０は、生成した指紋データを第１記憶部１１に記憶させる。
【００２４】
以後、処理部１０は、第１記憶部１１に記憶された指紋イメージ又は指紋データを用いて、指紋センサー１２に触れた人の認証を行う。処理部１０は、指紋センサー１２に触れた人の指紋をスキャンする。スキャンにより得られた指紋イメージ又は指紋データと、第１記憶部１１に登録されている指紋イメージ又は指紋データが一致するとき、処理部１０は、使用者の操作を受け付ける。一致しないとき、処理部１０は、使用者の操作を受け付けない。
【００２５】
ディスプレイ１３は、処理部１０からの要求に従い各種情報を表示する。ディスプレイ１３は、液晶パネルや有機ＥＬパネルのような表示パネル２７である。ディスプレイ１３は、操作用画像を表示する。操作用画像は、例えば、アイコン、ボタン、キー、タブである。タッチパネル１４は処理部１０と接続される。処理部１０は、タッチパネル１４の出力に基づき、タッチ位置を認識し、操作された（タッチされた）操作用画像を認識する。アイコンやボタンやキーを押すことにより、使用者は、アプリケーションを起動し、起動したアプリケーションを利用することができる。
【００２６】
撮像部１５は携帯通信装置１に設けられたカメラである。撮像部１５は、レンズ、イメージセンサー、カメラモジュールを含む。カメラモジュールはイメージセンサーが出力する画像信号に基づき、画像データを生成する。無線通信部２４１８はアンテナや通信回路を含む。無線通信部２４１８は、処理部１０の指示に応じて、通信事業者が提供する通信回線にアクセスできる。無線通信部２４１８を介し、外部とのデータの送受信、相手方との通話を行うことができる。また、無線通信部２４１８は無線により、画像形成装置２とも通信できる。
【００２７】
音声処理部１６は、マイクロフォン１６ａから入力された音声を無線通信部２４１８から送信できる形態に変換する処理を行う。再生処理部１７は、無線通信部２４１８で受信した相手方からの音（声）のデータをスピーカー１７ａに再生させる。再生処理部１７は第１記憶部１１に記憶された音のデータをスピーカー１７ａに再生させることもできる。
【００２８】
（画像形成装置２）
図４を用いて、実施形態に係る画像形成装置２の一例を説明する。図４は、実施形態に係る画像形成装置２の一例を示す図である。
【００２９】
図４に示す画像形成装置２は、複合機である。画像形成装置２は、制御部２０、操作パネル２１、画像読取部２２、印刷部２３、通信部２４、受信部２５を含む。
【００３０】
制御部２０は画像形成装置２の動作を制御する。制御部２０は、ＣＰＵ２０ａ、第２記憶部２６を含む。第２記憶部２６は、ＲＯＭ、ＲＡＭ、ＨＤＤのような記憶装置を含む。第２記憶部２６は、画像形成装置２を制御するためのデータ、設定、プログラムを記憶する。ＣＰＵ２０ａは、第２記憶部２６に記憶されるプログラム、データに基づき画像形成装置２を制御する。原稿を読み取るジョブ（コピーや送信）のとき、制御部２０は、原稿を画像読取部２２に読み取らせる。画像読取部２２は原稿の画像データを生成する。
【００３１】
操作パネル２１は使用者の設定操作を受け付ける。操作パネル２１は表示パネル２７、タッチパネル２８、ハードキー２９を含む。例えば、ハードキー２９は、テンキー部やスタートキーである。テンキー部は、数字入力用のキーである。スタートキーはジョブ開始指示用のキーである。表示パネル２７は、液晶表示パネル２７である。表示パネル２７は有機ＥＬパネルのような他種の表示パネル２７でもよい。制御部２０は、設定画面や操作用画像を表示パネル２７に表示させる。操作用画像は、例えば、ボタン、ソフトキー、タブである。使用者は、表示パネル２７に表示された操作用画像を操作（タッチ）する。これにより、使用者は、画像形成装置２の各種設定を入力できる。
【００３２】
又、タッチパネル２８が表示パネル２７に設けられる。タッチパネル２８は表示パネル２７の上面に設けられる。タッチパネル２８は使用者がタッチした位置、座標を検知する。タッチパネル２８とハードキー２９は、使用者の操作を受け付ける。タッチパネル２８の出力は、制御部２０に入力される。制御部２０は、使用者のタッチ位置を認識する。制御部２０は、操作用画像の表示位置とタッチ位置を比較し、使用者が操作した操作用画像を認識する。タッチパネル２８には、静電容量方式のものを用いることができる。制御部２０は、使用者の設定操作を認識する。使用者の設定に基づき、制御部２０は、画像読取部２２、印刷部２３、通信部２４を動作させる。
【００３３】
印刷部２３は、例えば、給紙部２３ａ、用紙搬送部２３ｂ、画像形成部２３ｃ、定着部２３ｅを含む。印刷を伴うジョブのとき、制御部２０は、印刷部２３に画像データに基づく印刷を実行させる。通信部２４は、無線により、無線通信部２４１８と通信を行える。また、通信部２４は、ネットワークを介し、コンピューター２００と通信できる。通信部２４は、携帯通信装置１やコンピューター２００から送信された印刷用データを受信する。制御部２０は、受信した印刷用データに基づき、印刷部２３に印刷させる。
【００３４】
（人体を介した信号の伝送）
次に、図５を用いて、実施形態に係る認証システム１００での人体を介した信号の伝送を説明する。図５は、実施形態に係る認証システム１００での人体を介した信号の伝送の一例を示す図である。
【００３５】
第１記憶部１１は、認証を受けるための使用者情報ｉ１（登録された使用者情報ｉ１）を記憶する。使用者情報ｉ１は、使用者を示す情報、使用者を特定するための情報ともいえる。使用者情報ｉ１の携帯通信装置１への登録については後述する。
【００３６】
携帯通信装置１が使用者情報ｉ１を示す信号を送信する。画像形成装置２は、受信した信号に基づき、携帯通信装置１が送信した使用者情報ｉ１を認識する。画像形成装置２（制御部２０）は、受信した使用者情報ｉ１に基づき認証を行う。
【００３７】
使用者情報ｉ１を示す信号は、人体を介して送受信される。そのため、以下の説明では、使用者情報ｉ１を示す信号（認証に用いる信号）を人体伝送信号Ｓ１と称する。認証システム１００では、認証は人体伝送信号Ｓ１を用いて行われる。
【００３８】
携帯通信装置１から人体伝送信号Ｓ１を送信するとき、処理部１０は、使用者情報ｉ１を示す信号が送信されるように、電極３に印加する電圧レベルを変化させる。処理部１０は、電極３に印加する電圧を使用者情報ｉ１に対応するビットパターンに応じて切り替える。処理部１０は、電極３に印加する電圧のＨｉｇｈ、Ｌｏｗレベルを切り替える。その結果、使用者情報ｉ１を示す信号が電極３から発せられる。
【００３９】
人体伝送信号Ｓ１は、指紋センサー１２（電極３）に触れている人を介して伝送される。人間の皮膚（表皮）は、高いインピーダンスを有する。一方、皮膚の下の筋肉、血管、細胞は、水分、電解質を含む。そのため、皮膚の下の組織は、比較的高い導電性を有する。皮膚、体内組織の組み合わせは、抵抗やコンデンサーのような働きを有する。電極３から皮膚（人体）に入力される電圧レベル（電界）の変化は、体内を伝搬する。つまり、人体伝送信号Ｓ１は体内を伝搬する。
【００４０】
処理部１０は、予め定められた周波数で、電極３の電圧レベルを変化させる。周波数が高すぎると、電圧レベルの変化が伝搬しない。そこで、処理部１０は、人体伝送信号Ｓ１の周波数を１０〜数十ＭＨｚよりも低くする。例えば、処理部１０は、人体伝送信号Ｓ１の周波数を、数Ｈｚ〜数ＭＨｚ程度とする。
【００４１】
画像形成装置２は、人体伝送信号Ｓ１を受信する受信部２５を含む（図３参照）。受信部２５は、受信用電極２５ａ、調整回路２５ｂを含む。受信用電極２５ａはタッチパネル２８と接続される。受信用電極２５ａは、例えば、導電性の金属板である。タッチパネル２８の表面は絶縁体である。人体に加わる電界の変化に応じ、受信用電極２５ａの電位が変化する。受信用電極２５ａは、人体伝送信号Ｓ１を受信するアンテナとして機能する。
【００４２】
具体的に、人体伝送信号Ｓ１を送受信するとき、使用者は、一方の手（指）で指紋センサー１２に触れる。一方の手から人体伝送信号Ｓ１が入力される。また、使用者は、一方の手で指紋センサー１２にふれつつ、他方の手の指でタッチパネル２８に触れる。他方の手の指から受信用電極２５ａに人体伝送信号Ｓ１が入力される。
【００４３】
調整回路２５ｂは、受信用電極２５ａに入力された人体伝送信号Ｓ１を調整する。例えば、調整回路２５ｂは、増幅回路を含む。増幅回路は、人体伝送信号Ｓ１を増幅する。また、調整回路２５ｂにバンドパスフィルターを含めてもよい。この場合、バンドパスフィルターは、人体伝送信号Ｓ１の周波数（処理部１０が電極３の電圧を変化させる周波数）の成分を抜き出す。調整回路２５ｂにより調整された信号は、制御部２０に入力される。制御部２０は、調整回路２５ｂから入力される信号（人体伝送信号Ｓ１を調整した信号）の波形に基づき、使用者情報ｉ１（ビットパターン）を認識する。言い換えると、受信部２５が受信した人体伝送信号Ｓ１に基づき、制御部２０は、携帯通信装置１が送信した使用者情報ｉ１を認識する。認識した使用者情報ｉ１に基づき、制御部２０は認証を行う。
【００４４】
（使用者情報ｉ１の登録）
次に、図６を用いて、実施形態に係る携帯通信装置１への使用者情報ｉ１の登録の一例を説明する。図６は、実施形態に係る携帯通信装置１での使用者情報ｉ１の登録の一例を示すフローチャートである。
【００４５】
実施形態に係る認証システム１００は、携帯通信装置１と画像形成装置２を含む。携帯通信装置１は、使用者情報ｉ１を示す信号を送信する。画像形成装置２は、携帯通信装置１から送信された信号を受信する。画像形成装置２は、携帯通信装置１から送信された信号（情報）に基づき、認証を行う。
【００４６】
携帯通信装置１から使用者情報ｉ１を示す信号を送信するには、携帯通信装置１に使用者情報ｉ１を登録しておく必要がある。そこで、まず、使用者情報ｉ１の登録の流れの一例を説明する。ここで、携帯通信装置１の第１記憶部１１には、認証用アプリケーションＡ１が予めインストールされる（図２参照）。認証用アプリケーションＡ１は、認証に関するプログラム、データを複数含む。認証用アプリケーションＡ１を利用して、使用者情報ｉ１を登録することができる。
【００４７】
図６のスタートでは、使用者の指示に基づき、処理部１０が認証用アプリケーションＡ１を起動している。図６のスタートは、認証用アプリケーションＡ１上で、使用者情報ｉ１の登録を指示する操作がタッチパネル１４になされた時点である。
【００４８】
まず、処理部１０は、指を指紋センサー１２にのせる旨のメッセージをディスプレイに表示させる（ステップ♯１１）。次に、処理部１０は電極３に電圧を印加する（ステップ♯１２）。言い換えると、処理部１０は電極３にＨｉｇｈレベルの電圧を印加する。処理部１０は、得られた指紋イメージに基づき、指が指紋センサー１２にのせられているか否かを判定する（ステップ♯１３）。例えば、指がのせられているか否かを検知するための検知素子（不図示）を設けてもよい。この場合、検知素子の出力に基づき、処理部１０は判定する。また、処理部１０は、指紋イメージに基づき、判定してもよい。指が保護層３１にのせられていないとき、各読取用電極にたまる電荷が一様となる。処理部１０は、指紋イメージの画素のうち、指がのせられていないときの画素値の画素の数をカウントする。カウント値が閾値以上のとき、処理部１０は指がのせられていないと判定してもよい。
【００４９】
指がのせられていないと判定したとき（ステップ♯１３のＮｏ）、フローは、ステップ♯１１に戻る。指がのせられていると判定したとき（ステップ♯１３のＹｅｓ）、処理部１０は、信号処理回路３３の出力に基づく指紋イメージを取得する（ステップ♯１４）。処理部１０は、指紋イメージに基づき、使用者情報ｉ１を生成する（ステップ♯１５）。
【００５０】
使用者情報ｉ１を生成するとき、指紋イメージに基づき、処理部１０は指紋データを生成する。生成した指紋データに基づき、処理部１０は、使用者情報ｉ１を生成する。処理部１０は、生成した指紋データに所定の演算を行って使用者情報ｉ１を生成する。例えば、処理部１０は、指紋データのうち、特定位置のビットの値を抜き出し、予め定められたビット数の使用者情報ｉ１を生成する。例えば、処理部１０は、数十〜数百ビットの使用者情報ｉ１を生成する。なお、使用者情報ｉ１のビット数は、適宜定められる。
【００５１】
また、使用者情報ｉ１を生成するとき、処理部１０は、指紋イメージから使用者情報ｉ１を生成してもよい。例えば、処理部１０は、指紋イメージのうち、予め定められた位置の画素の階調値を抽出してもよい。そして、処理部１０は、抽出した階調値を所定の順番で並べることにより、使用者情報ｉ１を生成してもよい。
【００５２】
処理部１０は、生成した使用者情報ｉ１を第１記憶部１１に不揮発的に記憶させる（ステップ♯１６）。そして、本フローは終了する（エンド）。なお、本フローの終了にともない、処理部１０は、電極３への電圧印加を停止する（Ｌｏｗレベルにする）。また、処理部１０は、使用者情報ｉ１の登録が終了した旨のメッセージをディスプレイに表示させてもよい。
【００５３】
なお、指紋に基づき、使用者情報ｉ１を生成する例を説明した。しかし、処理部１０は、タッチパネル１４に入力された文字、数字、記号を使用者情報ｉ１として、第１記憶部１１に記憶させてもよい。
【００５４】
（使用者情報ｉ１の送信）
次に、図７を用いて、実施形態に係る携帯通信装置１での使用者情報ｉ１の送信の流れの一例を説明する。図７は、実施形態に係る携帯通信装置１での使用者情報ｉ１の送信の流れの一例を示すフローチャートである。
【００５５】
図７のスタートでは、使用者の指示に基づき、処理部１０が認証用アプリケーションＡ１を起動している。図７のスタートは、認証用アプリケーションＡ１上で、使用者情報ｉ１の送信開始を指示する操作がタッチパネル１４になされた時点である。使用者は、画像形成装置２で設定を開始するとき、認証用アプリケーションＡ１上で、使用者情報ｉ１の送信開始指示を行う。
【００５６】
第１記憶部１１は、使用者情報ｉ１（登録された使用者情報ｉ１）を記憶する。処理部１０は、第１記憶部１１の使用者情報ｉ１を読み出す（ステップ♯２１）。続いて、処理部１０は、電極３に印加する電圧レベルを変化させ、電極３から使用者情報ｉ１を示す人体伝送信号Ｓ１を送信させる（ステップ♯２２）。
【００５７】
電極３から人体伝送信号Ｓ１が発信されるので、処理部１０は、指を指紋センサー１２にのせるべき旨のメッセージをディスプレイに表示させる（ステップ♯２３）。続いて、処理部１０は、使用者情報ｉ１（人体伝送信号Ｓ１）の送信停止指示がなされたか否かを確認する（ステップ♯２４）。言い換えると、処理部１０は、使用者情報ｉ１の送信停止を指示する操作がタッチパネル１４になされか否かを確認する。
【００５８】
送信停止指示がなされていないとき（ステップ♯２４のＮｏ）、フローは、ステップ♯２２に戻る。ステップ♯２４からステップ♯２２へのループにより、処理部１０は、人体伝送信号Ｓ１を周期的に送信する。言い換えると、処理部１０は、送信開始指示から送信停止指示がなされるまでの間、繰り返し、人体伝送信号Ｓ１を送信する。送信停止指示がなされたとき（ステップ♯２４のＹｅｓ）、処理部１０は人体伝送信号Ｓ１（使用者情報ｉ１）の送信を停止する（ステップ♯２５）。そして、本フローは終了する（エンド）。
【００５９】
（操作パネル２１のロック状態とアンロック状態）
次に、図８、図９を用いて、実施形態に係る操作パネル２１のロック状態とアンロック状態の一例を説明する。図８は、実施形態に係る操作パネル２１がロック状態のときに表示されるログイン画面４１の一例を示す図である。図９は、実施形態に係る操作パネル２１がアンロック状態のときに表示される画面の一例を示す図である。
【００６０】
操作パネル２１の状態には、アンロック状態とロック状態がある。制御部２０は、操作パネル２１の各状態を制御する。ロック状態は、設定操作が制限された状態である。アンロック状態は、ロック状態よりも設定操作が制限されない状態である。アンロック状態のとき、例えば、操作パネル２１は、全操作を受け付ける。なお、アンロック状態で操作できない項目、設定値が予め設定されてもよい。
【００６１】
図８は、ロック状態のときに表示されるログイン画面４１の一例を示す図である。ロック状態のとき、操作パネル２１は、認証を受けるための操作のみを受け付ける。認証システム１００では、携帯通信装置１の指紋センサー１２を触りつつ、タッチパネル２８をタッチするだけで認証を受けることができる。
【００６２】
なお、制御部２０は、ログイン画面４１にユーザー名入力欄４１ａやパスワード入力欄４１ｂを表示パネル２７に表示させる。タッチパネル２８の出力に基づき、制御部２０は、ユーザー名入力欄４１ａやパスワード入力欄４１ｂの表示位置がタッチされたことを認識する。このとき、制御部２０は、文字、数字、記号を入力するためのソフトウェアキーボード画面（不図示）を表示パネル２７に表示させる。使用者はソフトウェアキーボード画面を用いて、自己に割り当てられたユーザー名やパスワードを入力する。使用者は、ユーザー名とパスワードを入力して認証を受けることもできる。なお、操作パネル２１は、ユーザー名とパスワードによる認証を用いない設定を受け付けてもよい。この場合、制御部２０は、ログイン画面４１にユーザー名入力欄４１ａとパスワード入力欄４１ｂを表示パネル２７に表示させない。
【００６３】
操作パネル２１がロック状態の場合、タッチパネル２８をタッチした使用者（接触者）を利用可能者と認証したとき、制御部２０は、操作パネル２１をアンロック状態（ログイン状態）とする。接触者を利用不能者と判定したとき、制御部２０は、操作パネル２１をロック状態（ログアウト状態）で維持させる。
【００６４】
図９は、ロック状態からアンロック状態に遷移したときに最初に表示されるホーム画面４２の一例を示す。ホーム画面４２では、ジョブの種類を選択することができる。ジョブの種類の選択後、使用者は、選択したジョブに関し、操作用画像の操作を繰り返す。そして、使用者は、ジョブに関する設定値を１又は複数設定する。
【００６５】
（受信装置の認証処理）
次に、図１０、図１１に基づき、実施形態に係る画像形成装置２の認証処理の流れの一例を説明する。図１０、図１１は、実施形態に係る画像形成装置２の認証処理の流れの一例を示すフローチャートである。
【００６６】
まず、図１０を用いて、ロック状態での認証処理の流れの一例を説明する。図１０のスタートは、制御部２０が操作パネル２１をロック状態とした時点である。言い換えると、制御部２０がログイン画面４１の表示の開始時点である。
【００６７】
まず、タッチパネル２８の出力に基づき、制御部２０は、タッチがなされたか否かの確認を続ける（ステップ♯３１、ステップ♯３１のＮｏ→ステップ♯３１）。タッチパネル２８の出力に基づき使用者のタッチを認識したとき、制御部２０は、タッチパネル２８に入力された人体伝送信号Ｓ１の有無を確認する(ステップ♯３２)。認証を受けたいとき、使用者は、タッチパネル２８をある程度の時間、タッチし続ければよい。
【００６８】
携帯通信装置１の指紋センサー１２に触れていない人がタッチパネル２８をタッチしたとき、受信部２５は人体伝送信号Ｓ１を受信しない。受信部２５が制御部２０に入力する信号（調整回路２５ｂの出力信号）は、変化しない。調整回路２５ｂの出力信号の変化に基づき、制御部２０は、人体伝送信号Ｓ１の有無を確認する。
【００６９】
入力された人体伝送信号Ｓ１が無いとき（ステップ♯３２のＮｏ）、制御部２０は、タッチパネル２８をタッチした使用者（接触者）を利用不能者と判定する（ステップ♯３３）。利用不能者と判定したとき、制御部２０は、操作パネル２１をロック状態で維持する（ステップ♯３４）。
【００７０】
入力された人体伝送信号Ｓ１があるとき（ステップ♯３２のＹｅｓ）、制御部２０は、人体伝送信号Ｓ１に基づき、使用者情報ｉ１を認識する（ステップ♯３５）。そして、制御部２０は、認識した使用者情報ｉ１が認証用情報ｉ２に含まれているか否かを確認する（ステップ♯３６）。認識した使用者情報ｉ１が認証用情報ｉ２に含まれていないとき（ステップ♯３６のＮｏ）、フローは、ステップ♯３３に移行する。つまり、制御部２０は接触者を利用不能者と判定する。そして、フローは、ステップ♯３１に戻る。
【００７１】
画像形成装置２の第２記憶部２６は、認証用情報ｉ２を記憶する。第２記憶部２６は認証用情報ｉ２を予め記憶する。認証用情報ｉ２は、画像形成装置２の使用権限を有する者の使用者情報ｉ１を含む。画像形成装置２の使用権限を有する者が複数いる場合、認証用情報ｉ２は使用者情報ｉ１の束といえる。認証用情報ｉ２は、使用者情報ｉ１と、使用者情報ｉ１に関連付けられた情報を含む。関連付けられた情報には、例えば、使用者名、使用者のアドレス、使用者の所属部門、使用者の権限などがある。
【００７２】
認識した使用者情報ｉ１が認証用情報ｉ２に含まれているとき（ステップ♯３６のＹｅｓ）、制御部２０は、接触者を利用可能者と判定する（ステップ♯３７）。言い換えると、制御部２０は、接触者を認証する。さらに、認証用情報ｉ２に基づき、制御部２０は、使用者情報ｉ１に対応する使用者名、アドレス、所属部門、権限などを認識する。そして、制御部２０は、操作パネル２１をアンロック状態とする（ステップ♯３８）。そして、本フローは終了する（エンド）。アンロック状態に移行したとき、制御部２０は、ホーム画面４２を表示パネル２７に表示させる。
【００７３】
次に、図１１を用いて、アンロック状態での認証処理の流れの一例を説明する。一般的に、一度アンロック状態になると（認証処理が行われると）、次にアンロック状態になるまで認証処理は行われない。そのため、従来、認証を受けた者が離れたすきに、第三者が装置の操作を行うことができた。そこで、アンロック状態において、制御部２０は、タッチごとに認証処理を行う。これにより、第三者による操作を封じることができる。
【００７４】
図１１のスタートは、制御部２０が操作パネル２１をアンロック状態とした時点である。まず、タッチパネル２８の出力に基づき、制御部２０は、タッチがなされたか否かの確認を続ける（ステップ♯４１、ステップ♯４１のＮｏ→ステップ♯４１）。タッチパネル２８の出力に基づき使用者のタッチを認識したとき、制御部２０は、入力された人体伝送信号Ｓ１の有無を確認する(ステップ♯４２)。携帯通信装置１の指紋センサー１２に触れていない人がタッチパネル２８をタッチしたとき、受信部２５が制御部２０に入力する信号（調整回路２５ｂの出力信号）は、変化しない。調整回路２５ｂの出力信号の変化に基づき、制御部２０は、人体伝送信号Ｓ１の有無を確認する。
【００７５】
入力された人体伝送信号Ｓ１が無いとき（ステップ♯４２のＮｏ）、制御部２０は、タッチパネル２８をタッチした使用者（接触者）を利用不能者と判定する（ステップ♯４３）。利用不能者と判定したとき、制御部２０は、操作パネル２１をロック状態に移行させる（ステップ♯４４）。そして、本フローは終了する（エンド）。
【００７６】
一方、入力された人体伝送信号Ｓ１があるとき（ステップ♯４２のＹｅｓ）、制御部２０は、人体伝送信号Ｓ１に基づき、使用者情報ｉ１の認識に成功したか否かを確認する(ステップ♯４５)。タッチパネル２８に触れる時間が短い場合、使用者情報ｉ１の一部しか認識できない場合がでてくる。操作に習熟した人ほど、タッチパネル２８をタッチする時間は短くなりやすい。そこで、制御部２０は、使用者情報ｉ１の認識に成功したか、失敗したかを確認する。使用者情報ｉ１の全体（使用者情報ｉ１の全ビット）を認識できたとき、制御部２０は、使用者情報ｉ１の認識に成功したと判定する。使用者情報ｉ１の全体を認識できなかったとき、制御部２０は使用者情報ｉ１の認識に失敗したと判定する。
【００７７】
使用者情報ｉ１の認識に失敗したとき(ステップ♯４５のＮｏ)、制御部２０は、タッチパネルへの再タッチを促すメッセージを表示パネル２７に表示させる（ステップ♯４６）。制御部２０は、例えば、タッチする時間を長くしつつ、タッチした操作用画像を再度、タッチすべき旨のメッセージを表示させる。また、制御部２０は、予め定められた表示時間、再タッチを促すメッセージを表示パネル２７に表示させる。表示時間は、例えば、数秒である。そして、フローは、ステップ♯４１に戻る。
【００７８】
使用者情報ｉ１の認識に成功したとき（ステップ♯４５のＹｅｓ）、制御部２０は、認識した使用者情報ｉ１が認証用情報ｉ２に含まれているか否かを確認する（ステップ♯４７）。認識した使用者情報ｉ１が認証用情報ｉ２に含まれていないとき（ステップ♯４７のＮｏ）、フローは、ステップ♯４３に移行する。つまり、制御部２０は接触者を利用不能者と判定する。
【００７９】
認識した使用者情報ｉ１が認証用情報ｉ２に含まれているとき（ステップ♯４７のＹｅｓ）、制御部２０は、接触者が代わったか否かを確認する（ステップ♯４８）。ロック状態を解除したときに認識した使用者情報ｉ１と今回認識した使用者情報ｉ１が異なるとき、制御部２０は、接触者が変わったと判定する。ロック状態を解除したときに認識した使用者情報ｉ１と今回認識した使用者情報ｉ１が同じとき、制御部２０は、接触者が変わっていないと判定する。
【００８０】
接触者が代わったと判定したとき（ステップ♯４８のＹｅｓ）、フローは、ステップ♯４３に移行する。これにより、制御部２０は、操作パネル２１をロック状態とする。接触者が代わっていないと判定したとき（ステップ♯４８のＹｅｓ）、制御部２０は、接触者を利用可能者と判定する（ステップ♯４９）。言い換えると、制御部２０は、接触者を認証する。そして、制御部２０は、操作パネル２１をアンロック状態で維持する（ステップ♯４１０）。そして、フローはステップ♯４１に戻る。
【００８１】
（認証用情報ｉ２への使用者情報ｉ１の登録）
次に、図１２を用いて、実施形態に係る認証用情報ｉ２への使用者情報ｉ１の登録の流れの一例を説明する。図１２は、実施形態に係る認証用情報ｉ２への使用者情報ｉ１の登録の流れの一例を示すフローチャートである。
【００８２】
認証システム１００では、人体伝送信号Ｓ１により、認証用情報ｉ２に使用者情報ｉ１を追加することができる。図１２を用いて、以下、認証用情報ｉ２への使用者情報ｉ１の登録（追加）を説明する。図１２のスタートの時点では、使用者の指示に基づき、処理部１０が認証用アプリケーションＡ１を起動している。また、認証用アプリケーションＡ１上で、認証用情報ｉ２への使用者情報ｉ１の登録を指示する操作がタッチパネル１４になされている。また、画像形成装置２の操作パネル２１（タッチパネル２８）に、認証用情報ｉ２への使用者情報ｉ１の登録を指示する操作がなされている。また、使用者は、一方の手で指紋センサー１２に触れている。また、使用者は、他方の手でタッチパネル２８に触れている。
【００８３】
まず、処理部１０は、電極３に印加する電圧レベルを変化させ、電極３から使用者情報ｉ１を示す人体伝送信号Ｓ１を送信させる（ステップ♯５１）。人体伝送信号Ｓ１は人体を介して伝送される。受信部２５は、人体伝送信号Ｓ１を受信する（ステップ♯５２）。受信部２５（調整回路２５ｂ）の出力に基づき、制御部２０は使用者情報ｉ１を認識する（ステップ♯５３）。そして、制御部２０は、認識した使用者情報ｉ１を認証用情報ｉ２に含める（ステップ♯５４）。言い換えると、制御部２０は、認識した使用者情報ｉ１を認証用データに追加する。そして、本フローは終了する（エンド）。使用者はタッチするだけで使用者情報ｉ１を画像形成装置２に登録することができる。
【００８４】
このようにして、実施形態に係る認証システム１００は、送信装置（携帯通信装置１）と受信装置（画像形成装置２）を含む。送信装置は、第１記憶部１１、送信部（指紋センサー１２、タッチパッドでもよい）、処理部１０を含む。第１記憶部１１は、使用者情報ｉ１を記憶する。送信部は、人に触れられる電極３を含む。処理部１０は、電極３に印加する電圧レベルを変化させ、電極３から使用者情報ｉ１を示す人体伝送信号Ｓ１を送信させる。受信装置は、受信部２５、第２記憶部２６、制御部２０を含む。受信部２５は、受信装置に触れた人である接触者を介して伝送された人体伝送信号Ｓ１を受信する。第２記憶部２６は認証用情報ｉ２を記憶する。制御部２０は、受信部２５が受信した人体伝送信号Ｓ１に基づき、送信装置が送信した使用者情報ｉ１を認識し、認識した使用者情報ｉ１が認証用情報ｉ２に含まれているとき、接触者を利用可能者と判定する。
【００８５】
これにより、人体を介して人体伝送信号Ｓ１（使用者情報ｉ１）を伝送することができる。使用者情報ｉ１を送信するとき、空中に電波を放出しない。信号（使用者情報ｉ１）の傍受を防ぐことができる。認証の安全性を高めることができる。使用者は、送信装置の電極３に触れつつ、受信装置に触れるだけでよい。容易に使用者情報ｉ１を送受信することができる。人体を介して使用者情報ｉ１を伝送するので、情報伝送用のケーブルで送信装置と受信装置とを接続する手間も必要ない。
【００８６】
また、送信部は、指紋をスキャンする指紋センサー１２である。処理部１０は、指紋のスキャン結果に基づき、使用者情報ｉ１を生成する。処理部１０は、生成した使用者情報ｉ１を第１記憶部１１に記憶させる。これにより、使用者ごとにユニークな（特有の）使用者情報ｉ１を設定することができる。生体情報を用いて認証を行うことができる。権限のない第三者が認証を受けることをさらに難しくすることができる。
【００８７】
また、受信装置は、操作パネル２１を含む。操作パネル２１は、表示パネル２７とタッチパネル２８を含む。受信部２５はタッチパネル２８に触れた指から入力される人体伝送信号Ｓ１を受信する。制御部２０は、人体伝送信号Ｓ１に基づき認識した使用者情報ｉ１が認証用情報ｉ２に含まれているとき、接触者を利用可能者と判定する。タッチパネル２８に入力された人体伝送信号Ｓ１に基づき認識した使用者情報ｉ１が認証用情報ｉ２に含まれていないとき、及び、タッチパネル２８にタッチされた指から人体伝送信号Ｓ１が入力されていないとき、制御部２０は、接触者を利用不能者と判定する。これにより、タッチパネル２８をタッチするだけで認証を受けることができる。
【００８８】
また、制御部２０は、操作パネル２１のロック状態とアンロック状態の遷移を制御する。ロック状態は、設定操作が制限された状態である。アンロック状態はアンロック状態よりも設定操作が制限されない状態である。操作パネル２１がロック状態の場合、接触者を利用可能者と判定したとき、制御部２０は、操作パネル２１をアンロック状態とする。接触者を利用不能者と判定したとき、制御部２０は、操作パネル２１をロック状態で維持させる。これにより、タッチパネル２８をタッチするだけで、操作パネル２１をアンロック状態にすることができる。
【００８９】
また、アンロック状態でタッチパネル２８へのタッチされたとき、制御部２０は、受信部２５に入力される人体伝送信号Ｓ１の有無を確認する。入力される人体伝送信号Ｓ１がないとき、制御部２０は操作パネル２１をロック状態とする。入力される人体伝送信号Ｓ１があっても、入力された人体伝送信号Ｓ１に基づき認識した使用者情報ｉ１が認証用情報ｉ２に含まれていないとき、制御部２０は操作パネル２１をロック状態とする。入力される人体伝送信号Ｓ１があり、かつ、入力された人体伝送信号Ｓ１に基づき認識した使用者情報ｉ１が認証用情報ｉ２に含まれているとき、制御部２０は、操作パネル２１をアンロック状態で維持させる。これにより、使用者がタッチパネル２８に触れるたびに認証を行うことができる。認証を受けた者が受信装置から離れたすきに悪意の第三者が操作した時点で、受信装置をロック状態にすることができる。認証後、使用権限を有していない第三者の操作を一切拒絶することができる。操作者が使用権限を有する者であることを常に保証することができる。情報の漏洩を防ぐことができる。
【００９０】
また、制御部２０は、ロック状態を解除したときに認識した使用者情報ｉ１と、アンロック状態で新たに認識した使用者情報ｉ１が異なるとき、操作パネル２１をロック状態にする。これにより、操作者（接触者）が代わった時点で操作パネル２１をロック状態にすることができる。許可されていない情報へのアクセスと操作を防ぐことができる。
【００９１】
意図せず操作パネル２１がロック状態に移行したとき、使用権限を有する操作者は、操作パネル２１をアンロック状態に戻す。アンロック状態に戻したとき、最初から設定をやり直さなければならない。設定のやり直しは煩わしい。そこで、制御部２０は、アンロック状態でタッチパネル２８へのタッチされた場合に使用者情報ｉ１の認識に失敗したとき、タッチパネル２８への再タッチを促すメッセージを表示パネル２７に表示させる。これにより、使用者情報ｉ１の認識に失敗したとき、操作パネル２１を直ちにロック状態とすることを防ぐことができる。意図しないロック状態に移行することによる煩わしさを無くすことができる。
【００９２】
また、操作パネル２１は、認証用情報ｉ２を登録するための操作を受け付ける。認証用情報ｉ２を登録するための操作がなされたとき、制御部２０は、受信部２５が受信した人体伝送信号Ｓ１に基づき、送信装置が送信した使用者情報ｉ１を認識する。制御部２０は認識した使用者情報ｉ１を認証用情報ｉ２に含める。送信装置に触れつつ、操作パネル２１をタッチするだけで使用者情報ｉ１を認証用情報ｉ２に含めることができる。
【００９３】
また、本発明は、上述の認証システム１００に用いる送信装置（携帯通信装置１）と捉えることもできる。送信装置は、記憶部（第１記憶部１１）、送信部、処理部１０を含む。記憶部は、使用者を示す使用者情報ｉ１を記憶する。送信部は人体と接触する電極３を含む。処理部１０は、電極３に印加する電圧レベルを変化させ、電極３から使用者情報ｉ１を示す人体伝送信号Ｓ１を送信させる。これにより、人体を介して人体伝送信号Ｓ１（使用者情報ｉ１）を送信することができる。使用者情報ｉ１を送信するとき、空中に電波は放出されない。使用者情報ｉ１の傍受を防ぐことができる。認証の安全性を高めることができる。送信装置の電極３に触れるだけで使用者情報ｉ１を送信することができる。
【００９４】
また、本発明は、上述の認証システム１００に用いる受信装置（画像形成装置２）と捉えることもできる。受信装置は、受信部２５、記憶部（第２記憶部２６）、制御部２０を含む。受信部２５は、受信装置に触れた人である接触者を介して伝送された人体伝送信号Ｓ１を受信する。記憶部は、認証用情報ｉ２を記憶する。制御部２０は、受信部２５が受信した人体伝送信号Ｓ１に基づき、送信装置が送信した使用者情報ｉ１を認識する。認識した使用者情報ｉ１が認証用情報ｉ２に含まれているとき、制御部２０は、接触者を利用可能者と判定する。これにより、人体を介した人体伝送信号Ｓ１（使用者情報ｉ１）を受信することができる。使用者情報ｉ１を送受信では、空中に電波が放たれない。使用者情報ｉ１の傍受を防ぐことができる。認証の安全性を高めることができる。受信装置に触れるだけで使用者情報ｉ１を受信することができる。
【００９５】
本発明の実施形態を説明したが、本発明の範囲はこれに限定されるものではなく、発明の主旨を逸脱しない範囲で種々の変更を加えて実施することができる。
【００９６】
例えば、上記の説明では、送信装置の送信部として指紋センサー１２を例に挙げて説明した。しかし、送信部は、タッチされた指に電圧（電流）を印加できるものであればよい。例えば、送信装置としてノート型ＰＣを使用し、送信部はノート型ＰＣに搭載されるタッチパッドでもよい。
【産業上の利用可能性】
【００９７】
本発明は、人体を介して情報をやりとりする認証システムに利用可能である。
【符号の説明】
【００９８】
１００  認証システム              １      携帯通信装置（送信装置）
１１    第１記憶部                １２    指紋センサー（送信部）
１０    処理部                    ２      画像形成装置（受信装置）
２０    制御部                    ２１    操作パネル
２５    受信部                    ２６    第２記憶部
２７    表示パネル                ２８    タッチパネル
３      電極                      ｉ１    使用者情報
ｉ２    認証用情報                Ｓ１    人体伝送信号
【図１】
2019003268.tif 000003
【図２】
2019003268.tif 000004
【図３】
2019003268.tif 000005
【図４】
2019003268.tif 000006
【図５】
2019003268.tif 000007
【図６】
2019003268.tif 000008
【図７】
2019003268.tif 000009
【図８】
2019003268.tif 000010
【図９】
2019003268.tif 000011
【図１０】
2019003268.tif 000012
【図１１】
2019003268.tif 000013
【図１２】
2019003268.tif 000014